(57)【要約】
　　【課題】　本考案は、回覧の開始者Ａや回収者Ｌが変わったり順序が変わった場合でも、新たに回覧表示を書き直す必用のない回覧表示１、５とすることにより、手間のかからない回覧板等を提供することにある。
　特に、傷んだり、見づらくなったり、見栄えが悪くなる問題をなくし、かつ、回覧板等から回覧表示が外れる問題をなくし、常に安定した表示を行うことの可能な回覧表示１、５及び回覧表示１、５を有する回覧板等を提供することにある。
　　【解決手段】　氏名や名称などを記載可能な名札３と、名札３を格納可能なポケット部２ｃ、６ｃを複数並列させて有する表示袋２、６であって、ポケット部２ｃ、６ｃの前面のポケットシート２ｄ、６ｂを透明又は開口を有するものとし、さらに開閉可能な蓋シート２ｅ、６ｄ又は着脱可能な蓋シートを設けた表示袋２、６とからなる回覧表示１、５及びそのような回覧表示１、５を有する回覧板等とする。
【選択図】　　　　　　　図１
0003100441.tif 000002
【実用新案登録請求の範囲】
【請求項１】
名札を格納可能なポケット部を複数並列させて有する表示袋であって、前記ポケット部の前面が透明であるか又は開口を有するポケットシートであって、開閉可能な蓋シートを有することを特徴とする表示袋。
【請求項２】
名札を格納可能なポケット部を複数並列させて有する表示袋であって、前記ポケット部の前面が透明であるか又は開口を有するポケットシートであって、着脱可能な蓋シートを有することを特徴とする表示袋。
【請求項３】
請求項１又は請求項２のいずれかに記載した表示袋であって、ポケット部の後面にあたるベースシートの外側の面に、接着剤若しくは接着テープを接着しその表面に仮付けシートを貼り付けたこと、又はマジックテープを取り付けたことを特徴とする表示袋。
【請求項４】
請求項１乃至請求項３のいずれかに記載した表示袋であって、一端にある１番目のポケット部から最後のポケットへ向かう単数又は複数の矢印を付したことを特徴とする表示袋。
【請求項５】
請求項１乃至請求項４のいずれかに記載した表示袋と、氏名（苗字が表示できれるもので可）又は名称（以下「氏名等」という。）を記載可能な複数の名札とを有することを特徴とする回覧表示。
【請求項６】
請求項５に記載した回覧表示を有することを特徴とする回覧板、回覧用のファイル若しくは回覧用の袋（以下「回覧板等」という。）。
【考案の詳細な説明】
【技術分野】
【０００１】
　本考案は、職場や地域社会で情報伝達や資料配付などに使用する回覧版等に係り、特に回覧責任者が変わったり、情報や回覧物の内容によって回覧の開始者と最後の回収者が変わっても、誰から誰に回覧を回すのか、そして最後に誰で回覧が終わるかなどの情報を確実に表示することができる、表示袋、回覧表示及び回覧板等に関する。
【背景技術】
【０００２】
　従来は、最初の回覧者から回覧する順序で回覧者の氏名等を並べ最後の回収者を表示（以下「回覧表示」という。）したものを、回覧板等に直接記載したり、回覧表示を記載した別紙を作成して、前記別紙をのり付けや接着テープで接着したり、クリップなどを使用して回覧板等に取り付けていた。
　しかし回覧板等に直接記載する方法では、回覧順序や回覧の開始者や回収者が変わる度に、古い回覧表示を抹消して新たに書き直す必要が生じ、手間がかかる問題や、回覧板等が汚れて見栄えが悪くなったり、回覧表示が見づらくなったり、傷みやすくなる問題があった。
　また、回覧表示を記載した別紙を回覧板等に接着する方法では、古い別紙を剥がして新しい回覧表示をした別紙を貼り付ける必要が生じ、上記と同様に、手間がかかる問題や、回覧板等が汚れて見栄えが悪くなったり、回覧表示が見づらくなったり、傷みやすくなる問題があった。
　一方、クリップなどで取り付ける場合は、回覧表示が変わる度に新しい回覧表示を作成しなければならない問題と、回覧表示が外れやすいため、既に誰が回覧を終了したのか次ぎに誰に回覧すればよいのか、途中で分からなくなってしまう問題があった。
【考案の開示】
【考案が解決しようとする課題】
【０００３】
　本考案は、上記した従来技術の欠点を除くためなされたもので、その目的とするところは、回覧の開始者や回収者が変わったり回覧順序が変わった場合でも、新たに回覧表示を書き直す必用のない回覧表示とすることにより、手間のかからない回覧板等を提供することにある。
　また、回覧表示や回覧板等が傷んだり、見づらくなったり、見栄えが悪くなる問題をなくし、常に見やすくて見栄えの良い回覧表示や回覧板等を提供することにある。
　さらに、回覧表示をクリップなどにより回覧版等に取り付ける方法の有する、回覧板等から回覧表示が外れやすい問題をなくし、常に安定した回覧表示を行うことの可能な回覧表示を提供することにある。
【課題を解決するための手段】
【０００４】
　氏名等を記載可能な名札と、前記名札を格納可能なポケット部を複数並列させて有する表示袋であって、前記ポケット部の前面から名札の文字を読みとれる構成とし、さらに開閉可能な蓋シート又は着脱可能な蓋シートを設けた表示袋とからなる回覧表示、及びそのような回覧表示を有する回覧板等とする。
【考案の効果】
【０００５】
　本考案により、回覧の開始者や回収者が変わったり回覧順序が変わった場合でも、新たに回覧表示を書き直す必用のない回覧表示や、そのような回覧表示を有することにより手間のかからない回覧板等を提供することができた。
　また、回覧表示や回覧板等が傷んだり、見づらくなったり、見栄えが悪くなる問題をなくし、常に見やすくて見栄えの良い回覧表示や回覧板等を提供することができた。
　さらに、回覧表示をクリップなどにより回覧版等に取り付ける方法の有する、回覧板等から回覧表示が外れやすい問題をなくし、常に安定した回覧表示を行うことの可能な回覧表示を提供することができた。
【考案を実施するための最良の形態】
【０００６】
　請求項１の考案は、名札を格納可能なポケット部を複数並列させて有する表示袋であって、前記ポケット部の前面が透明であるか又は開口を有するポケットシートであって、かつ、開閉可能な蓋シートを有することを特徴とする表示袋とする。
　複数のポケットを有する表示袋であって、ポケット部の前面を透明としたり名札が外に出ない程度に開口を設けて、前面から格納した名札の文字を読み取ることを可能としたものである。
　また、蓋シートを設けることにより乱暴に扱っても格納した名札がポケットから外に出ないようにし、さらに前記蓋シートを開閉可能なものとしてポケットに名札を出し入れできるようにしたものである。
　請求項２の考案は、名札を格納可能なポケット部を複数並列させて有する表示袋であって、前記ポケット部の前面が透明であるか又は開口を有するポケットシートであって、かつ、着脱可能な蓋シートを有することを特徴とする表示袋とする。
　本考案は、蓋シートを着脱可能に設けることにより、ポケットへの名札の出し入れを容易にしたものである。蓋シートを脱着容易に取り付けるには、ファスナー、マジックテープ又はマグネットシート等を使う構成など簡易な構成とすることが好ましい。
　請求項３の考案は、請求項１又は請求項２のいずれかに記載した表示袋であって、ポケット部の後面にあたるベースシートの外側の面に、接着剤若しくは接着テープを接着しその表面に仮付けシートを貼り付けたこと、又はマジックテープを取り付けたことを特徴とする表示袋とする。
　表示袋を回覧板等に取り付けるための接着機能を与えたものである。また、仮付けシートを取り付けたのは、表示袋を回覧板等に接着する前に接着剤が汚れることを防ぎ接着機能を維持するためである。
　請求項４の考案は、請求項１乃至請求項３のいずれかに記載した表示袋であって、一端にある１番目のポケット部から最後のポケットへ向かう単数又は複数の矢印を付したことを特徴とする表示袋とする。
　一個の矢印で回覧順序を表示する方法もあるが、１番目のポケット部から２番目のポケット部への矢印表示を付し、前記２番目のポケット部から３番目のポケット部への矢印表示を付し、さらに、次々と矢印表示を付すことにより最後のポケットへの矢印を付して表示する方法もある。
　矢印を付すことによりどの順序で回覧するのか、誰から始まった回覧であるか、最後に回収するのは誰であるか、などについて理解容易な表示としたものである。
　請求項５の考案は、請求項１乃至請求項４のいずれかに記載した表示袋と、氏名等を記載可能な複数の名札とからなる回覧表示とする。
　名札は氏名等を記載できればよい。氏名全部が記載できることは好ましいが、苗字が記載できれば使用可能である。前記名札に氏名等を記載したものを、表示袋のポケットに回覧する順序で入れて回覧表示とする。
　請求項６の考案は、請求項５に記載した回覧表示を有することを特徴とする回覧板、ファイル若しくは回覧用の袋などとする。
　接着剤等を施した表示袋の場合は、前記接着剤等を使って回覧板等に接着すればよいが、接着剤等が施してない場合は新たに接着材や両面テープを施工して取り付ける。マジックテープを施した表示袋の場合は、回覧板等にもマジックテープの片側を取り付ける。また、回覧板等に設けたポケットなどに差し込んでも使用可能である。さらに、回覧板等の一部を表示袋とすることも可能である。
【実施例１】
【０００７】
　図１、図２に示した実施例１の回覧表示１は表示袋２と１２個の名札３とで構成した回覧表示１である。
　表示袋２は、１２個のポケット部２ｃを有するポケットプレート２ｂと、ポケットプレート２ｂの後面にベースシート２ａを前面にポケットシート２ｄをそれぞれ取り付けたものである。
　ポケットシート２ｄは透明なプラスチックのシートを使用し、表面に矢印２ｆを印刷して回覧順序を表示した。
　また、ポケット部２ｃからはみ出た名札３の部分を押さえ、名札３が外に出ないようにする蓋シート２ｅをベースシート２ａに溶着して設けた。蓋シート２ｅは折り曲げ可能な樹脂のシートとして、図２に一点鎖線で示したように蓋シート２ｅを開いて名札３を出し入れする構成とした。
　名札３にはそれぞれＡ〜Ｌと略号で示した氏名や名称を記載しておき、一番右側に回覧の開始者Ａの名札を入れ、右から左に回覧をする順序に名札を入れ、一番左に最後の回覧者であって回覧物を回収する回収者Ｌの名札を入れて使用する。
【実施例２】
【０００８】
　図３、図４に示した実施例２の回覧表示５は表示袋６と１２個の名札３とで構成した回覧表示５である。
　表示袋６はベースシート６ａに透明なプラスチックのシートに矢印６ｆを印刷したポケットシート６ｂを溶着して、１２個のポケット部６ｃを設けた。ベースシート６ａとポケットシート６ｂとの溶着部６ｅは、図３に斜線でハッチングした範囲である。
　また、ポケット部６ｃからはみ出た名札３の部分を押さえ名札３が外に出ないようにする蓋シート６ｄを設けた。蓋シート６ｄは折り曲げ可能な樹脂のシートとして、図４に一点鎖線で示したように蓋シート６ｄを開いて名札３を出し入れする構成とした。
　実施例１と同様、名札３にはそれぞれＡ〜Ｌと略号で示した氏名や名称を記載しておき、一番右側に回覧の開始者Ａの名札をいれ、右から左に回覧をする順序に名札を入れ、一番左に最後の回覧者であって回覧物を回収する回収者Ｌの名札を入れて使用する。
【実施例３】
【０００９】
　図示していないが実施例３の考案は、実施例１の表示袋が蓋シート２ｅをベースシート２ａに溶着したのに対し、蓋シートとベースシートとの間にファスナーを設け着脱可能に取り付けた点で異なる表示袋とし、さらにベースシートの外側に接着剤を塗布し回覧板に接着して、回覧表示付きの回覧板とした。
【産業上の利用可能性】
【００１０】
　本考案は、回覧板等を製造販売する産業に利用され、さらに、各生活地域や職場等で回覧を行うときなどに利用される。
【図面の簡単な説明】
【００１１】
【図１】回覧表示の正面図である。
【図２】図１のＭ−Ｍ矢視断面図である。
【図３】回覧表示の正面図である。
【図４】図３のＮ−Ｎ矢視断面図である。
【符号の説明】
【００１２】
　１　：回覧表示　　　　　　　２　：表示袋　　　　　　　２ａ：ベースシート
　２ｂ：ポケットプレート　　　２ｃ：ポケット部　　　　　２ｄ：ポケットシート
　２ｅ：蓋シート　　　　　　　２ｆ：矢印　　　　　　　　３　：名札
　５　：回覧表示　　　　　　　６　：表示袋　　　　　　　６ａ：ベースシート
　６ｂ：ポケットシート　　　　６ｃ：ポケット部　　　　　６ｄ：蓋シート
　６ｅ：溶着部　　　　　　　　６ｆ：矢印
【図１】
0003100441.tif 000003
【図２】
0003100441.tif 000004
【図３】
0003100441.tif 000005
【図４】
0003100441.tif 000006